(57)【要約】      （修正有）【課題】構造計算が可能であって、耐震性に優れ、比較的容易に建築可能な合祀墓を提供する。【解決手段】天井部材３と床部材２と壁部材４とを組み合わせて構成される合祀墓１であって、内部空間が納骨室とされる。天井部材３と床部材２と壁部材４とは、いずれも、プレキャストコンクリート部材と、当該プレキャストコンクリート部材の表面の少なくとも一部に接合される石部材と、を有する。床部材２、天井部材３、及び、４つの壁部材４の夫々は、形状及び大きさが概ね共通する部材であり、これを組み立てることで、立方体形状の合祀墓１を建築可能である。【選択図】図１
0003196669.tif 000002
【実用新案登録請求の範囲】
【請求項１】
天井部材と床部材と壁部材とを組み合わせて構成される合祀墓であって、
前記天井部材と前記床部材と前記壁部材とは、いずれも、プレキャストコンクリート部材と、当該プレキャストコンクリート部材の表面の少なくとも一部に接合される石部材と、を有することを特徴とする合祀墓。
【請求項２】
前記床部材が有する前記プレキャストコンクリート部材と、前記壁部材が有する前記プレキャストコンクリート部材とは、互いに構造が異なる２種類の接合金具によって接合されることを特徴とする請求項１に記載の合祀墓。
【請求項３】
前記壁部材に接合される前記石部材の一部は、銘板部であり、当該石部材において前記銘板部の厚さは、当該石部材において前記銘板部以外の部分の厚さよりも厚いことを特徴とする請求項１又は請求項２に記載の合祀墓。
【請求項４】
前記床部材は、散骨用開口部を有することを特徴とする請求項１〜請求項３のいずれか１項に記載の合祀墓。
【請求項５】
請求項１〜請求項４のいずれか１項に記載の合祀墓は、略立方体形状であることを特徴とする合祀墓。
【考案の詳細な説明】
【技術分野】
【０００１】
本考案は、合祀墓に関する。
【背景技術】
【０００２】
合祀墓は複数の故人を合祀・散骨する施設であるが、従来の合祀墓は一般的に石材製である。
【考案の概要】
【考案が解決しようとする課題】
【０００３】
しかしながら石材は構造材として均一性がなく、構造計算を行うことができない。従って、耐震性等を数値をもって顧客に対して示すことができず、顧客が耐震性等に不安を抱くことになる。また、石材は、曲げ強度が小さく耐震性に優れない構造材であることから、石材製の合祀墓を、十分な耐震性を有する施設とすることは困難である。
【０００４】
また、合祀墓を石材にて建築する場合には、熟練の石工職人により石材を加工する必要があるが、現代においては石工職人の数が減少しているという問題がある。従って、一定の手順に従うことで比較的容易に建築可能な合祀墓が望まれる。
【０００５】
本考案は、上述した問題点に鑑み、構造計算が可能であって、耐震性に優れ、比較的容易に建築可能な合祀墓を提供することを目的とする。
【課題を解決するための手段】
【０００６】
上記目的を達成するために本考案は、天井部材と床部材と壁部材とを組み合わせて構成される合祀墓であって、前記天井部材と前記床部材と前記壁部材とは、いずれも、プレキャストコンクリート部材と、当該プレキャストコンクリート部材の表面の少なくとも一部に接合される石部材と、を有することを特徴としている。
【０００７】
また上記構成の合祀墓において、前記床部材が有する前記プレキャストコンクリート部材と、前記壁部材が有する前記プレキャストコンクリート部材とは、互いに構造が異なる２種類の接合金具によって接合されることが望ましい。
【０００８】
また上記構成の合祀墓において、前記壁部材に接合される前記石部材の一部は、銘板部であり、当該石部材において前記銘板部の厚さは、当該石部材において前記銘板部以外の部分の厚さよりも厚いことが望ましい。
【０００９】
また上記構成の合祀墓において、前記床部材は、散骨用開口部を有することが望ましい。
【００１０】
また上記構成の合祀墓は略立方体形状であることが望ましい。
【考案の効果】
【００１１】
本考案によると、プレキャストコンクリート部材を組み合わせて合祀墓が建築されるので、構造計算が可能であり、また、当該合祀墓は耐震性に優れ、比較的に容易に建築可能である。加えて、プレキャストコンクリート部材に石部材を接合することで、外観上、石材製の合祀墓と認識され、合祀墓としての重厚感を損なうことがない。
【図面の簡単な説明】
【００１２】
【図１】一実施形態の合祀墓の外観を示す背面斜視図
【図２】一実施形態の合祀墓の外観を示す正面図
【図３】一実施形態の合祀墓が備える床部材の構造を示す上面図
【図４】一実施形態の合祀墓が備える床部材の構造を示す正面断面図
【図５】一実施形態の合祀墓が備える天井部材の構造を示す上面図
【図６】一実施形態の合祀墓が備える天井部材の構造を示す正面断面図
【図７】一実施形態の合祀墓が備える前壁の構造を示す正面図
【図８】一実施形態の合祀墓が備える前壁の構造を示す上面断面図
【図９】一実施形態の合祀墓が備える後壁の構造を示す背面図
【図１０】一実施形態の合祀墓が備える後壁の構造を示す上面断面図
【図１１】一実施形態の合祀墓が備える左側壁の構造を示す左側面図
【図１２】一実施形態の合祀墓が備える左側壁の構造を示す上面断面図
【図１３】高張力ボルトによる接合例を示す図
【図１４】スリーブ部材による接合例を示す図
【図１５】アンカーボルトによる接合例を示す図
【考案を実施するための形態】
【００１３】
以下に本考案の実施形態について図面を参照して説明する。なお、以下の説明においては、図２の紙面に対向する観察者の上側を「上」、下側を「下」、左手側を「左」、右手側を「右」、手前側を「前」、奥側を「後」又は「背」として説明する。
【００１４】
図１、図２は本実施形態の合祀墓の外観を示す背面斜視図及び正面図である。本実施形態に係る合祀墓１は一辺約２ｍの立方体形状の合祀墓である。合祀墓１の基本構造は、床部材２、天井部材３、及び、４つの壁部材４（後述する壁部材４１〜４４）から構成され、内部空間が納骨室とされる。つまり、床部材２、天井部材３、及び、４つの壁部材４の夫々は、形状及び大きさが概ね共通する部材であり、これを組み立てることで、立方体形状の合祀墓１を建築可能である。納骨室内には、複数の骨壺が安置される棚や、花台・燭台等の仏具を配置可能な祭壇が配される。
【００１５】
ところで、合祀墓１は比較的小型の合祀墓であり、骨壺の収蔵可能数がある程度限られる。従って、収蔵されている骨壺数が、収蔵可能数に至るか或いは迫ってくると、収蔵年数が長い骨壺内の遺骨は、合祀墓の下方の地中に形成される散骨室に散骨される。合祀墓の床部材２には、納骨室内から散骨室に遺骨を散骨可能とする構造が形成される（詳細は後述）。
【００１６】
[床部材の構成]
図３及び図４は床部材２の上面図及び正面断面図であり、図４は図３のＡ−Ａ断面図である。床部材２は、上面視略正方形の部材であり、相対的に厚みの厚い第１のプレキャストコンクリート部材ＰＡ1に、相対的に厚みの薄い１２枚の第１の石部材ＳＡ1が接合されて構成される。第１のプレキャストコンクリート部材ＰＡ1は、成型される際に、中央部に略円形状の型抜きがされて成型され、当該円形状部分が、遺骨を納骨室から散骨室に散骨する際に使用される散骨用開口部７として機能する。合祀墓１の管理者は散骨用開口部７を介して、骨壺内の遺骨を納骨室内から散骨室に散骨することができる。なお、第１のプレキャストコンクリート部材ＰＡ1と、後出する第２〜第５のプレキャストコンクリート部材とを区別する必要がないときは、単に、プレキャストコンクリート部材と称し、第１の石部材ＳＡ1と、後出する第２〜第１１の石部材とを区別する必要がないときは、単に、石部材と称する。石部材の材料は特に限られるものではないが、花崗岩（御影石）が好適に使用される。
【００１７】
本実施形態において、石部材は合祀墓１に合祀墓としての重厚感を与えるために用いられるものであり、参拝者が外部からプレキャストコンクリート部材を視認できないように接合されるものである。従って、プレキャストコンクリート部材において、石部材が接合される面は、組み合わされた際に、外部から視認可能な面（外部視認可能面）であり、床部材２においては、第１のプレキャストコンクリート部材ＰＡ1の４つの側面に接合される。本実施形態では第１のプレキャストコンクリート部材ＰＡ1の各側面に対して３枚の第１の石部材ＳＡ1を接合することとしたが接合する枚数は特に限られるものではない。但し、各側面に対して同一形状の石部材が同一枚数接合されることが望ましい。以降において述べる第２〜第１１の石部材についても同様である。
【００１８】
プレキャストコンクリート部材に、石部材を接合する方法は特に限られるものではないが、例えばシアコネクターによって接合可能である。プレキャストコンクリート部材、及び、石部材の夫々の厚さは特に限られるものではないが、例えば前者は１５０ｍｍ、後者は３０ｍｍとされる。
【００１９】
[天井部材の構成]
図５及び図６は天井部材３の上面図及び正面断面図であり、図６は図５のＢ−Ｂ断面図である。天井部材３は、上面視略正方形の部材であり、相対的に厚みの厚い第２のプレキャストコンクリート部材ＰＢ1に、相対的に厚みの薄い１２枚の第２の石部材ＳＢ1及び９枚の第３の石部材ＳＢ2が接合されて構成される。
【００２０】
天井部材３において、第２のプレキャストコンクリート部材ＰＢ1における石部材が接合される面、すなわち、外部視認可能面は、第２のプレキャストコンクリート部材ＰＢ1の上面、及び、第２のプレキャストコンクリート部材ＰＢ1の４つの側面である。第２のプレキャストコンクリート部材ＰＢ1の各側面には、夫々、３枚の第２の石部材ＳＢ1が接合される。第２のプレキャストコンクリート部材ＰＢ1の上面には、９枚の第３の石部材ＳＢ2が接合される。
【００２１】
[壁部材の構成]
壁部材４は、扉５が設けられる前壁４１と、銘板部６が設けられる後壁４２と、右側壁４３と、左側壁４４とから構成される。以下、各壁について説明を行う。なお、右側壁４３と左側壁４４とは対称の部材であるため、左側壁４４の説明のみ行い、右側壁４３の説明は省略する。
【００２２】
[前壁の構成]
図７及び図８は前壁４１の正面図及び上面断面図であり、図８は図７のＣ−Ｃ断面図である。前壁４１の中央部には扉５が配設され、参拝者は開かれた扉５を介して納骨室内に配された仏具等を視認することができる。
【００２３】
前壁４１は、前面視略正方形の部材であり、相対的に厚みの厚い第３のプレキャストコンクリート部材ＰＣ1に、相対的に厚みの薄い４枚の第４の石部材ＳＣ1及び１枚の第５の石部材ＳＣ2及び４枚の第６の石部材ＳＣ3が接合されて構成される。第３のプレキャストコンクリート部材ＰＣ1は、成型される際に、中央部の下端から上方にかけて略矩形状の型抜きがされて成型され、当該矩形状部分に扉５が配設される。
【００２４】
前壁４１において、第３のプレキャストコンクリート部材ＰＣ1における石部材が接合される面、すなわち、外部視認可能面は、第３のプレキャストコンクリート部材ＰＣ1の前面、及び、第３のプレキャストコンクリート部材ＰＣ1の左側面及び右側面である。第３のプレキャストコンクリート部材ＰＣ1の左側面及び右側面の各側面には、夫々、２枚の第４の石部材ＳＣ1が接合される。第３のプレキャストコンクリート部材ＰＣ1の前面において扉５の上部に位置する部分には、１枚の第５の石部材ＳＣ2が接合される。第３のプレキャストコンクリート部材ＰＣ1の前面において扉５の左右に位置する部分には、夫々、２枚の第６の石部材ＳＣ3が接合される。
【００２５】
扉５は、第３のプレキャストコンクリート部材ＰＣ1に対して取り付けられるものであるため、石壁に取り付ける場合と異なり、材質や開閉機構を問わず、種々の扉が取り付け可能である。開閉機構としては、開き戸式、グライドスライドドア式、引き戸式、観音式などが利用可能である。
【００２６】
[後壁の構成]
図９及び図１０は後壁４２の背面図及び上面断面図であり、図１０は図９のＤ−Ｄ断面図である。後壁４２は、背面視略正方形の部材であり、相対的に厚みの厚い第４のプレキャストコンクリート部材ＰＤ1に、相対的に厚みの薄い４枚の第７の石部材ＳＤ1、１枚の第８の石部材ＳＤ2、１枚の第９の石部材ＳＤ3、４枚の第１０の石部材ＳＤ4、及び、銘板部６が接合されて構成される。
【００２７】
後壁４２において、第４のプレキャストコンクリート部材ＰＤ1における石部材が接合される面、すなわち、外部視認可能面は、第４のプレキャストコンクリート部材ＰＤ1の後面、及び、第４のプレキャストコンクリート部材ＰＤ1の左側面及び右側面である。第４のプレキャストコンクリート部材ＰＤ1の左側面及び右側面の各側面には、夫々、２枚の第７の石部材ＳＤ1が接合される。第４のプレキャストコンクリート部材ＰＤ1の前面において略中央部には銘板部６が接合される。第４のプレキャストコンクリート部材ＰＤ1の前面において銘板部６の上部及び下部に位置する部分には夫々、１枚の第８の石部材ＳＤ2、１枚の第９の石部材ＳＤ3が接合される。また、第４のプレキャストコンクリート部材ＰＤ1の前面において銘板部６の左右に位置する部分には、夫々、２枚の第１０の石部材ＳＤ4が接合される。
【００２８】
銘板部６は石部材と同一の材料によって形成され、石部材の一種であるともいえる。銘板部６の厚さは、プレキャストコンクリート部材より薄く、石部材よりも厚くされる。当該構成により、銘板部６に故人の氏名等を彫ることにより銘板部６が破損することが防がれる。なお、銘板部６の厚さは特に限られるものではないが、例えば６０ｍｍとされる。
【００２９】
[左側壁の構成]
図１１及び図１２は左側壁４４の左側面図及び上面断面図であり、図１２は図１１のＥ−Ｅ断面図である。左側壁４４は、左側面視略正方形の部材であり、相対的に厚みの厚い第５のプレキャストコンクリート部材ＰＥ1に、相対的に厚みの薄い４枚の第１１の石部材ＳＥ1が接合されて構成される。第５のプレキャストコンクリート部材ＰＥ1は、成型される際に、４カ所に略円形状の型抜きがされて成型され、各円形状部分が、夫々、外部環境の空気を納骨室内に出入り可能とする通気口４４ａ〜４４ｄとして機能する。
【００３０】
左側壁４４において、第５のプレキャストコンクリート部材ＰＥ1における石部材が接合される面、すなわち、外部視認可能面は、第５のプレキャストコンクリート部材ＰＥ1の左側面である。第５のプレキャストコンクリート部材ＰＥ1の左側面には、４枚の第１１の石部材ＳＥ1が接合される。
【００３１】
[各プレキャストコンクリート部材に関する補足]
上述したように合祀墓１は第１のプレキャストコンクリート部材ＰＡ1〜第５のプレキャストコンクリート部材ＰＥ1を組み合わせて構成されるが、各プレキャストコンクリート部材は共通の型枠を用いて成型することが可能である。上述したように、第１のプレキャストコンクリート部材ＰＡ1、第３のプレキャストコンクリート部材ＰＣ1、及び、第５のプレキャストコンクリート部材ＰＥ1は、夫々、散骨用開口部７、扉５、通気口４４ａ〜４４ｄに相当する貫通部分（コンクリートが形成されない部分）を有しているが、これらは成型時に型抜きすることとすればよく、全体としては共通の型枠を用いて成型することが可能である。特段の型抜きを要しない第２のプレキャストコンクリート部材ＰＢ1、第４のプレキャストコンクリート部材ＰＤ1は、大きさ形状共に同一の部材である。なお、散骨用開口部７、扉５、通気口４４ａ〜４４ｄに相当する貫通部分は上述したように、型抜きとすることで容易に形成可能であるが、型抜き以外の方法で形成してもよく、例えば、第２のプレキャストコンクリート部材ＰＢ1の一部を刳り抜いて、第１のプレキャストコンクリート部材ＰＡ1、第３のプレキャストコンクリート部材ＰＣ1、及び、第５のプレキャストコンクリート部材ＰＥ1を、成形することとしてもよい。
【００３２】
[合祀墓の組立手順]
次に上述した床部材２、天井部材３、及び、４つの壁部材４を用いて合祀墓１を組み立てる手順について説明する。まず、合祀墓１の設置現場において、基礎工事を行う。基礎工事は、遺骨を散骨する散骨室を形成した後に、現場打ちコンクリートによって施行されるが、プレキャスト成型体として予め工場制作してもよい。基礎の略中央部には、散骨室と外部空間とをつなぐ管部材が設けられ、遺骨は当該管部材を介して散骨室に散骨される。
【００３３】
基礎工事後、基礎の上に、床部材２を配置する。上述したように管部材は基礎の略中央部に形成されており、また、床部材２において散骨用開口７は略中央部に形成されるため、床部材２を基礎の上に配置する際に、管部材と散骨用開口７との位置合わせを行う必要がない。
【００３４】
次に床部材２の上面に壁部材４１〜４４を配すると共に、床部材２と各壁部材４１〜４４とを接合する。床部材２と各壁部材４１〜４４とは高張力ボルトＨＢとスリーブ部材によって接合される。高張力ボルトとしては例えば図１３に示される高張力ボルトＨＢが使用される。図１３は、床部材２と前壁４１とを高張力ボルトＨＢにより接合している状態を示す図である。また、スリーブ部材としては例えば図１４に示されるスリーブ部材ＲＭが使用される。図１４は床部材２と前壁４１とをスリーブ部材ＲＭにより接合している状態を示す図である。スリーブ部材ＲＭは前壁４１に埋設されるスリーブ本体ＲＭ１と、床部材２に設けられ、スリーブ本体ＲＭ１に対して抜差可能に接続される接続スリーブＲＭ２とから構成される。接続スリーブＲＭ２をスリーブ本体ＲＭ１に挿入することで、床部材２と前壁４１とが接合される。
【００３５】
このように床部材２と前壁４１とを、高張力ボルトＨＢ及びスリーブ部材ＲＭによって接合することで、組立強度が高まり、耐震性に優れた合祀墓とすることができる。
【００３６】
床部材２と各壁部材４１〜４４とを接合すると、次に、各壁部材４１〜４４の上面に天井部材３を配すると共に、各壁部材４１〜４４と天井部材３とを接合する。天井部材３と各壁部材４１〜４４とは上述した高張力ボルトＨＢによって接合される。
【００３７】
このような手順により合祀墓１を組み立てることができる。合祀墓１が組み立てられた後は、例えは納骨室内の内装仕上げを行い、その後、棚や仏具が配置される。
【００３８】
［床部材２と各壁部材４１〜４４との接合方法に関する補足］
上記組立手順では、床部材２と各壁部材４１〜４４との接合に関し、高張力ボルトＨＢとスリーブ部材とにより接合することとしたが、スリーブ部材に代えて、アンカーボルトを用いてもよい。アンカーボルトとしては、寸切ボルトが好適に用いられる。寸切ボルトとしては例えば図１５に示される寸切ボルトＳＧＢが使用される。図１５は床部材２と前壁４１とを寸切ボルトＳＧＢにより接合している状態を示す図である。寸切ボルトＳＧＢは例えば、各壁部材４１〜４４の成型時に、一端が外部に露出するように埋設され、床部材２に接合する際に、床部材２に設けられた孔部に差し込まれる。これにより、床部材２と前壁４１とが接合される。
【００３９】
[本考案の特徴]
本考案の合祀墓は、天井部材と床部材と壁部材とを組み合わせて構成される合祀墓であり、天井部材と床部材と壁部材とは、いずれも、プレキャストコンクリート部材と、当該プレキャストコンクリート部材の表面の少なくとも一部に接合される石部材と、を有する。当該構成によれば、プレキャストコンクリート部材を組み合わせて合祀墓が建築されるので、構造計算が可能であり、また、当該合祀墓は耐震性に優れ、比較的に容易に建築可能である。加えて、プレキャストコンクリート部材に石部材を接合することで、外観上、石材製の合祀墓と認識され、合祀墓としての重厚感を損なうことがない。
【００４０】
また、床部材が有するプレキャストコンクリート部材と、壁部材が有するプレキャストコンクリート部材とは、互いに構造が異なる２種類の接合金具によって接合される。当該構成によれば、互いに構造が異なる２種類の接合金具（高張力ボルトと、スリーブ部材又はアンカーボルト）により、床部材が有するプレキャストコンクリート部材と、壁部材が有するプレキャストコンクリート部材とが接合されるので、接合強度（組立強度）が高まり、より一層耐震性に優れた合祀墓とすることができる。
【００４１】
また、壁部材に接合される石部材の一部は、銘板部であり、石部材において銘板部の厚さは、石部材において前記銘板部以外の部分の厚さよりも厚い。当該構成によれば、石部材において銘板部以外は極力軽量化された石部材を用いて合祀墓の重厚感を維持することができ、また、銘板部においては銘板部に故人の氏名を彫った際に、銘板部が割れることを防ぐことができる。
【００４２】
また、床部材は、散骨用開口部を有する。当該構成によれば、納骨室内から散骨用開口部を介して遺骨を散骨することができる。なお、散骨用開口部が床部材の略中央部に位置するように形成されることで、基礎に床部材を接地する際に、散骨室と散骨用開口部との位置合わせを行う必要がなく、容易に組み立てることができる。
【００４３】
また、合祀墓は略立方体形状である。当該構成によれば、合祀墓としての重厚感を維持しつつも、現代の斬新なデザインが適用された合祀墓とすることができ、合祀墓特有の暗いイメージを払拭して、参拝者にとって参拝しやすい合祀墓となる。
【産業上の利用可能性】
【００４４】
本考案は合祀墓に利用することができる。但し、本考案を適用可能な建築物は、合祀墓との名称が付された建築物に限られるものではなく、故人を供養するために用いられる形態の建築物、例えば、納骨堂や永代供養墓にも適用可能であることはいうまでもない。
【符号の説明】
【００４５】
１    合祀墓
２    床部材
３    天井部材
４    壁部材
５    扉
６    銘板部
７    散骨用開口部
【図１】
0003196669.tif 000003
【図２】
0003196669.tif 000004
【図３】
0003196669.tif 000005
【図４】
0003196669.tif 000006
【図５】
0003196669.tif 000007
【図６】
0003196669.tif 000008
【図７】
0003196669.tif 000009
【図８】
0003196669.tif 000010
【図９】
0003196669.tif 000011
【図１０】
0003196669.tif 000012
【図１１】
0003196669.tif 000013
【図１２】
0003196669.tif 000014
【図１３】
0003196669.tif 000015
【図１４】
0003196669.tif 000016
【図１５】
0003196669.tif 000017